(57)【要約】【課題】巻き上げられるシャッターカーテン及びシャッターケース内に進入した水とバッテリーとが接触し難い電動シャッターを提供する。【解決手段】バッテリーから供給される電力により回動する巻付軸に巻き付けられたシャッターカーテンが収容されるシャッターカーテン収容空間を形成するシャッターケースと、前記バッテリーが収容され前記シャッターカーテン収容空間とは仕切られたバッテリー収容空間を形成するバッテリー収容部と、を有する。【選択図】図１
2020033808.tif 000002
【特許請求の範囲】
【請求項１】
バッテリーから供給される電力により回動する巻付軸に巻き付けられたシャッターカーテンが収容されるシャッターカーテン収容空間を形成するシャッターケースと、
前記バッテリーが収容され前記シャッターカーテン収容空間とは仕切られたバッテリー収容空間を形成するバッテリー収容部と、
を有することを特徴とする電動シャッター。
【請求項２】
請求項１に記載の電動シャッターであって、
前記バッテリー収容部は、前記シャッターケース内に設けられていることを特徴とする電動シャッター。
【請求項３】
請求項１に記載の電動シャッターであって、
前記バッテリー収容部は、前記シャッターケース外に設けられていることを特徴とする電動シャッター
【請求項４】
請求項１乃至請求項３のいずれかに記載の電動シャッターであって、
前記シャッターケースは、開閉可能なケースカバーを有しており、前記バッテリー収容部は前記ケースカバーと一体に設けられていることを特徴とする電動シャッター。
【請求項５】
請求項１乃至請求項４のいずれかに記載の電動シャッターであって、
前記バッテリー収容部は、前記バッテリーを出し入れ可能な開口と、前記開口を閉止可能な蓋体とを有することを特徴とする電動シャッター
【請求項６】
請求項１乃至請求項５のいずれかに記載の電動シャッターであって、
前記バッテリー収容部は、前記巻付軸から繰り出された前記シャッターカーテンが仕切る屋内外のうちの屋内側に配置されていることを特徴とする電動シャッター。
【請求項７】
請求項１乃至請求項６のいずれかに記載の電動シャッターであって、
前記バッテリーは、太陽電池により充電されることを特徴とする電動シャッター。
【発明の詳細な説明】
【技術分野】
【０００１】
本発明は、電動シャッターに関する。
【背景技術】
【０００２】
電動シャッターとしては、たとえば、太陽の光エネルギーを電気エネルギーに変換する太陽電池を用いて発電し、発電した電気をバッテリーに蓄電し、蓄電した電気によりシャッターを開閉する電動シャッターが知られている（例えば、特許文献１参照）。このような電動シャッターは、シャッターカーテンが巻き付けられる巻き取りシャフト（巻付軸）が収容され、屋外に配置されるシャッターケース内にバッテリーが収容されている。
【先行技術文献】
【特許文献】
【０００３】
【特許文献１】特開昭６１−２６６７９２号公報
【発明の概要】
【発明が解決しようとする課題】
【０００４】
バッテリーが収容されているシャッターケース内には、巻き上げられるシャッターカーテンが収容されるので、巻き上げられるシャッターカーテンと、バッテリーとが接触する虞がある。また、シャッターカーテンは、汚れなどを洗い流した水や雨水などが付着したままシャッターケース内に収容される場合があり、シャッターケース内に進入した水がバッテリーに接触する虞があるという課題がある。
【０００５】
本発明は、かかる課題に鑑みてなされたものであり、その目的とするところは、巻き上げられるシャッターカーテン及びシャッターケース内に進入した水とバッテリーとが接触し難い電動シャッターを提供することにある。
【課題を解決するための手段】
【０００６】
かかる目的を達成するために本発明の電動シャッターは、バッテリーから供給される電力により回動する巻付軸に巻き付けられたシャッターカーテンが収容されるシャッターカーテン収容空間を形成するシャッターケースと、前記バッテリーが収容され前記シャッターカーテン収容空間とは仕切られたバッテリー収容空間を形成するバッテリー収容部と、を有することを特徴とする電動シャッターである。
本発明の他の特徴については、本明細書及び添付図面の記載により明らかにする。
【発明の効果】
【０００７】
本発明によれば、巻き上げられるシャッターカーテン及びシャッターケース内に進入した水とバッテリーとが接触し難い電動シャッターを提供することが可能である。
【図面の簡単な説明】
【０００８】
【図１】本実施形態に係る電動シャッターの縦断面図である。
【図２】本実施形態に係る電動シャッターの正面図である。
【図３】図３（ａ）は、バッテリーユニットの蓋体を閉じた状態を側方から見た縦断面図であり、図３（ｂ）は、バッテリーユニットの蓋体を開いた状態を側方から見た縦断面図である。
【図４】図４（ａ）は、バッテリーユニットの構成を説明する為の、側方から見た縦断面図であり、図４（ｂ）は、蓋体がハウジングに支持される構成を説明する為の、正面から見た縦断面図である。
【図５】バッテリーユニットが取り付けられているシャッターカバーの外観を示す斜視図である。
【図６】図６（ａ）は、把持部を備えた蓋体を示す図であり、図６（ｂ）は、操作溝を備えた蓋体を示す図である。
【図７】バッテリーユニットがシャッターケース内に設けられている電動シャッターの外観を示す斜視図である。
【図８】バッテリーユニットがシャッターカーテンの屋内側に設けられている電動シャッターを示す縦断面図である。
【発明を実施するための形態】
【０００９】
以下、本発明の一実施形態に係る電動シャッターについて図面を参照して説明する。
本実施形態の電動シャッター１は、図１、図２に示すように、例えば引き違い障子２を備えた建具３が取り付けられている建物の外壁より屋外側に突出させて設けられており、外周部に取り付けけられている太陽電池１８により発電された電気をバッテリー１７０に蓄積し、バッテリー１７０から供給される電力によりシャッターカーテン２１をシャッターケース２５内に巻き上げ、または、シャッターケース２５から繰り出すように構成されている。
【００１０】
本実施形態の電動シャッター１は、シャッター枠１０と、シャッター枠１０内における上端側の部位に収容されるシャッター本体２０と、シャッター枠１０に収容されたシャッター本体２０の屋外側に突出する部位の側部を覆うサイドキャップ１５と、シャッター枠１０に収容されたシャッター本体２０の屋外側を覆いシャッター枠１０に固定されるケースカバーとしてのシャッターカバー１６と、シャッターカバー１６に取り付けられるバッテリーユニット１７と、バッテリーユニット１７が備えるバッテリー１７０に蓄電する電気を発電する太陽電池１８と、を有している。
【００１１】
シャッター枠１０は、建具３の枠体３０が有する縦枠(不図示)の各々外側に配置され、枠体３０より上方まで延出されている左右一対のシャッター縦枠１１と、枠体３０が有する上枠３１の上に配置され一対のシャッター縦枠１１間に架け渡されたシャッター上枠１２と、一対のシャッター縦枠１１の上端に架け渡されたルーフ板１３と、シャッター本体２０を支持する左右一対の支持部材１４と、左右のシャッター縦枠１１、シャッター上枠１２、ルーフ板１３及びサイドキャップ１５により形成される空間Ｓ１の屋外側を被うシャッターカバー１６と、を有している。
【００１２】
シャッターカバー１６は、ルーフ板１３の屋外側の端部に回動自在に係合し、空間Ｓ１の開口１０ａを閉止可能に設けられている。シャッターカバー１６はルーフ板１３の屋外側の部位に係合されるカバー係合部１６ａと、カバー係合部１６ａから屋外側に向かってほぼ水平に延出されたカバー上面部１６ｂと、カバー上面部１６ｂの屋外側の縁から垂設されたカバー垂壁部１６ｃと、カバー垂壁部１６ｃの下端から屋内側に向かって延出されたカバー下面部１６ｄと、を有している。
【００１３】
カバー上面部１６ｂと、カバー垂壁部１６ｃとには、左右方向に沿って太陽電池１８が係合可能な溝部１６ｅが設けられており、太陽電池１８は、溝部１６ｅ係合されることにより取り付けられ、左右方向にスライドすることにより取り付け位置を変更可能である。
【００１４】
本実施形態においては、カバー上面部１６ｂに１本の溝部１６ｅと、カバー垂壁部１６ｃは上下方向に間隔を空けて２本の溝部１６ｅが設けられており、カバー垂壁部１６ｃの上側の溝部１６ｅに太陽電池１８が設けられている。シャッターカバー１６のカバー下面部１６ｄには、太陽電池１８とケーブル１８ａにより繋がったバッテリーユニット１７が取り付けられている。
【００１５】
バッテリーユニット１７は、図３（ａ）に示すように、バッテリー１７０と、バッテリー１７０が収容されるハウジング１７１と、を有し、左右方向におけるほぼ全長に亘って設けられている。ハウジング１７１は、断面形状がコ字状をなし、下方が開放された溝状のハウジング本体１７２と、ハウジング本体１７２の左右の端部を塞ぐ側壁部１７３と、ハウジング本体１７２及び側壁部１７３が箱状をなして開放されている開口１７１ａを塞ぐ蓋体１７４とを有している。
【００１６】
バッテリーユニット１７は、ハウジング１７１が、カバー下面部１６ｄの下面に取り付けられている。ハウジング１７１の見込み方向の幅と、カバー下面部１６ｄの見込み方向の幅とは一致しており、バッテリーユニット１７をシャッターカバー１６に取り付けたときに、図５に示すように、カバー垂壁部１６ｃとハウジング１７１の屋外側の面とが、繋がった平面をなすように構成されている。尚、図５では、ハウジング１７１をシャッターカバー１６と区別する為にハッチングを施している。
【００１７】
蓋体１７４は、図４（ｂ）に示すように、屋外側の縁から上方に延出された延出部１７４ａが、左右の側壁部１７３の間隔より短く形成されており、長手方向における両端部の、屋外側の縁側に段付きねじ１７５が螺合されている。図４（ａ）に示すように、両端に螺合された段付きねじ１７５は、側壁部１７３に設けられた係合部１７３ａに係合されて蓋体１７４が回動可能に支持されている。蓋体１７４の屋内側の縁には、フック部１７４ｂが設けられており、ハウジング本体１７２の屋内側の部位に設けられた係止片１７２ａに係止されて閉止状態を維持するように形成されている。蓋体１７４には、蓋体１７４が閉じられた状態で、蓋体１７４とハウジング本体１７２と屋外側の隙間をシールするシール材１７６が設けられている。
【００１８】
蓋体１７４の内側面、すなわち、蓋体１７４の閉止状態にける上面には、バッテリー１７０が着脱可能に設けられている。バッテリー１７０は、図３（ｂ）に示すように、蓋体１７４と共に回動し、蓋体１７４の閉止状態では、ハウジング１７１が形成する空間Ｓ２内に収容され、蓋体１７４を開いたときに、外部に露出する。すなわち、ハウジング１７１が形成する空間Ｓ２が、バッテリー収容空間Ｓ２に相当し、ハウジング１７１がバッテリー収容部に相当する。開閉可能な蓋体１７４には、開閉し易いように、図６（ａ）に示すように、蓋体の下面に把持部１７４ｃを設けておく、或いは、図６（ｂ）に示すように、指が掛かるような操作溝１７４ｄを設けておいてもよい。
【００１９】
シャッター本体２０は、図１に示すように、屋内外を仕切るシャッターカーテン２１と、シャッターカーテン２１が巻き付けられた巻付軸２２と、鉄製の複数の部材にて形成されシャッターカーテン２１が巻き付けられた巻付軸２２を回動自在に支持して収容するシャッターボックス２３とを有している。このとき巻付軸２２の軸方向が左右方向に沿って配置されている。
【００２０】
巻付軸２２内には、巻付軸２２を回動するためのモータ２４が設けられており、モータ２４は、バッテリーユニット１７のバッテリー１７０とケーブル２４ａにより繋がっている。モータ２４のケーブル２４ａは、巻付軸２２の端部から引き出され、シャッターボックス２３に這わせるように、太陽電池１８と繋がったケーブル１８ａとともにバッテリー１７０と繋がっている。
【００２１】
シャッターカーテン２１が巻付軸２２に巻き付けられた状態でシャッターボックス２３に収容されているシャッター本体２０は、空間Ｓ１に収容されてシャッターボックス２３が左右の支持部材１４に固定されている。すなわち、空間Ｓ１がシャッターカーテン収容空間Ｓ１に相当し、左右のシャッター縦枠１１、シャッター上枠１２、ルーフ板１３、サイドキャップ１５、及び、シャッターカバー１６においてシャッターカーテン収容空間Ｓ１を形成している部位が、シャッターケース２５に相当する。このため、シャッターケース２５により形成されて巻付軸２２に巻き付けられたシャッターカーテン２１が収容されるシャッターカーテン収容空間Ｓ１と、シャッターカバー１６に取り付けられるハウジング１７１により形成されてバッテリー１７０が収容されるバッテリー収容空間Ｓ２とは、仕切られている。
【００２２】
本実施形態の電動シャッター１によれば、シャッターカーテン２１が収容されるシャッターカーテン収容空間Ｓ１と、バッテリー１７０が収容されるバッテリー収容空間Ｓ２とは、仕切られているので、巻き上げられるシャッターカーテン２１及びシャッターケース２５内に進入した水とバッテリー１７０とが接触し難い電動シャッター１を提供することが可能である。
【００２３】
また、バッテリーユニット１７がシャッターケース２５外に設けられているので、バッテリー１７０を、可動するシャッターカーテン２１及びシャッターカーテン２１によりシャッターケース２５内に引き込まれる水と、より確実に隔離することが可能である。また、バッテリーユニット１７をシャッターケース２５外に設けることにより、シャッターケース２５を大きくする必要がなく、また、バッテリーユニット１７を単体として取り外すことが可能である。このため、バッテリー１７０の交換やメンテナンスなどを容易に行うことが可能である。
【００２４】
また、バッテリーユニット１７のハウジング１７１は、バッテリー１７０を出し入れ可能な開口１７１ａを有しているので、ハウジング１７１を外すことなく、バッテリー１７０の着脱が可能である。このため、容易にバッテリー１７０の交換やメンテナンス等をすることが可能である。また、開口１７１ａを閉止可能な蓋体１７４を有しているので、バッテリー１７０が露出することを防止することが可能である。
【００２５】
上記実施形態においては、バッテリーユニット１７が、シャッターケース２５の外側に設けられている例について説明したが、シャッターケース内に設けられていてもよい。また、このとき、シャッターカバー１６と一体に設けられていてもよい。この場合には、図７に示すように、バッテリーユニット１７が外部に露出せず、シャッターケース２５の屋外側がシャッターカバー１６に被われるので、より意匠性に優れた電動シャッター１を提供することが可能である。また、シャッターケース２５内にハウジング１７１が収容されるように形成することにより、シャッターカバー１６を開くとハウジング１７１が露出されるので、バッテリー１７０の交換等が容易となり、シャッターカバー１６を閉じた状態では、意匠性に優れる電動シャッター１を提供することが可能である。
【００２６】
また、上記実施形態においては、バッテリーユニット１７がシャッターカバー１６のカバー下面部１６ｄに取り付けられており、昇降するシャッターカーテン２１の屋外側に配置されている例について説明したが、これに限るものではない。例えば、図８に示すように、バッテリーユニット１７がシャッター上枠１２の下に取り付けられて、シャッターカーテン２１の屋内側に配置されていても構わない。この場合には、屋内側からバッテリーユニット１７に触れることができるため、バッテリー１７０の交換やメンテナンス等が容易である。また、シャッターカーテン２１を閉じた状態であっても、バッテリー１７０の交換やメンテナンス等が可能である。また、バッテリーユニット１７が、引き上げられたシャッターカーテン２１の下端に設けられている座板２６の屋内側に位置するように配置すると、バッテリーユニット１７が屋外側に露出しないので、より意匠性が向上する。
【００２７】
また、本実施形態においては、カバー上面部１６ｂに１本の溝部１６ｅと、カバー垂壁部１６ｃは上下方向に間隔を空けて２本の溝部１６ｅが設けられており、カバー垂壁部１６ｃの上側の溝部１６ｅに太陽電池１８が設けられている例について説明したが、太陽電池１８の数、及び取り付け位置は、これに限るものではない。たとえば、図８に示すように、カバー上面部１６ｂとカバー垂壁部１６ｃとにそれぞれ設けられている、或いは、カバー上面部１６ｂだけに設けられているなど、太陽電池１８は施工現場の日照にあわせて適宜設定することが望ましい。また、太陽電池１８は、両面テープ等に寄り取り付けられていても構わない。
【００２８】
上記実施形態においては、バッテリー１７０が太陽電池１８により充電される例について説明したが、これに限るものではなく、発電可能な装置により充電される形態であれば構わない。
【００２９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
本実施形態には、少なくとも以下の発明が含まれる。
【００３０】
バッテリーから供給される電力により回動する巻付軸に巻き付けられたシャッターカーテンが収容されるシャッターカーテン収容空間を形成するシャッターケースと、前記バッテリーが収容され前記シャッターカーテン収容空間とは仕切られたバッテリー収容空間を形成するバッテリー収容部と、を有することを特徴とする電動シャッター。
【００３１】
このような電動シャッターによれば、シャッターカーテンが収容されるシャッターカーテン収容空間と、バッテリーが収容されるバッテリー収容空間とは、仕切られているので、巻き上げられるシャッターカーテン及びシャッターケース内に進入した水とバッテリーとが接触し難い電動シャッターを提供することが可能である。
【００３２】
かかる電動シャッターであって、前記バッテリー収容部は、前記シャッターケース内に設けられていることを特徴とする。
このような電動シャッターによれば、バッテリー収容部は、シャッターケース内に設けられているので、バッテリー収容部は、外部に露出しない。このため、より意匠性に優れた電動シャッターを提供することが可能である。
【００３３】
かかる電動シャッターであって、前記バッテリー収容部は、前記シャッターケース外に設けられていることを特徴とする。
このような電動シャッターによれば、バッテリー収容部がシャッターケース外に設けられているので、シャッターケースを大きくする必要がなく、また、バッテリー収容部を単体として取り外すことが可能である。このため、例えば、バッテリーの交換やメンテナンス等が容易である。
【００３４】
かかる電動シャッターであって、前記シャッターケースは、開閉可能なケースカバーを有しており、前記バッテリー収容部は前記ケースカバーと一体に設けられていることを特徴とする。
【００３５】
このような電動シャッターによれば、バッテリー収容部がケースカバーと一体に形成されているので、バッテリー収容部が目立ち難いため意匠性に優れている。また、ケースカバーにより屋外側が被われるシャッターケース内にバッテリー収容部が収容されるように形成することにより、ケースカバーを開くとバッテリー収容部が露出されるので、バッテリーの交換等が容易となり、ケースカバーを閉じた状態では、意匠性に優れる電動シャッターを提供することが可能である。
【００３６】
かかる電動シャッターであって、前記バッテリー収容部は、前記バッテリーを出し入れ可能な開口と、前記開口を閉止可能な蓋体とを有することを特徴とする。
このような電動シャッターによれば、バッテリー収容部は、バッテリーを出し入れ可能な開口を有しているので、バッテリー収容部を外すことなく、バッテリーの着脱が可能である。このため、バッテリーの交換やメンテナンス等を容易に行うことが可能である。また、開口を閉止可能な蓋体を有しているので、バッテリーが露出することを防止することが可能である。
【００３７】
かかる電動シャッターであって、前記バッテリー収容部は、前記巻付軸から繰り出された前記シャッターカーテンが仕切る屋内外のうちの屋内側に配置されていることを特徴とする。
【００３８】
このような電動シャッターによれば、バッテリー収容部が、巻付軸から繰り出されたシャッターカーテンの屋内側に配置されているので、シャッターを閉じた状態であっても屋内側からバッテリーの交換等を行うことが可能である。
【００３９】
かかる電動シャッターであって、前記バッテリーは、太陽電池により充電されることを特徴とする。
このような電動シャッターによれば、太陽電池により充電された電気にて開閉可能な電動シャッターを提供することが可能である。
【符号の説明】
【００４０】
１  電動シャッター、１６  シャッターカバー、１８  太陽電池、
２１  シャッターカーテン、２２  巻付軸、１７０  バッテリー、１７１  ハウジング、
１７１ａ  ハウジングの開口、１７４  蓋体
Ｓ１  シャッターカーテン収容空間、Ｓ２  バッテリー収容空間
【図１】
2020033808.tif 000003
【図２】
2020033808.tif 000004
【図３】
2020033808.tif 000005
【図４】
2020033808.tif 000006
【図５】
2020033808.tif 000007
【図６】
2020033808.tif 000008
【図７】
2020033808.tif 000009
【図８】
2020033808.tif 000010